(57)【要約】【課題】複数段階からなるファイル作成作業を行う作業者の利便性を向上させる。【解決手段】複数ページ分の一連のページデータから単一のファイルである書籍ファイルの生成に向けた、個別に実施可能な複数段階からなる作成作業を行う間に、現在の作業段階を示す作業段階情報を記憶する。書籍ファイルの作成作業を行うための表示画面Ｇ１に、作業段階情報により示される作業段階を、各段階の作業内容を示す文字２０４や、作業段階を示す作業図形２０７ｂ，２０７ｃ，２０７ｅ，２０７ａによって表示する。任意の段階の作業を行ってから次の段階の作業を行うまでに時間が経過した場合であっても、次にどの作業を行えばよいかを直ちに知らせることができる。【選択図】図５
2017045292.tif 000002
【特許請求の範囲】
【請求項１】
複数ページ分の一連のページデータから単一のファイルである書籍ファイルの生成に向けた、個別に実施可能な複数段階からなる作成作業が行われる間に、現在の作業段階を示す作業段階情報を記憶する記憶手段と、
前記記憶手段に記憶されている作業段階情報により示される作業段階を表示する表示手段と
を備えたことを特徴とする情報表示装置。
【請求項２】
前記表示手段は、前記作業段階を示す作業図形によって表示することを特徴とする請求項１記載の情報表示装置。
【請求項３】
前記記憶手段は、前記作成作業の作業経過を示す作業経過情報を記憶し、
前記表示手段は、前記作業図形と共に、前記記憶手段に記憶されている作業経過情報により示される作業経過を視覚的に表す経過図形を表示することを特徴とする請求項２記載の情報表示装置。
【請求項４】
前記経過図形は、前記作業図形を囲むドーナツ形であり、複数領域を円周方向に順に塗り潰す間の所定の状態により前記作成作業の作業経過を視覚的に表すことを特徴とする請求項３記載の情報表示装置。
【請求項５】
前記経過図形は、前記複数領域を前記作業段階に対応する特定色により、円周方向に順に塗り潰して行く間の状態により前記作成作業の作業経過を視覚的に表すことを特徴とする請求項４記載の情報表示装置。
【請求項６】
前記作業図形は、前記特定色のみからなる単色の図形であることを特徴とする請求項５記載の情報表示装置。
【請求項７】
前記記憶手段は、前記作成作業の実施候補である複数の前記一連のページデータに関する前記作業段階情報を個別に記憶し、
前記表示手段は、前記記憶手段に個別に記憶されている作業段階情報により示される作業段階を前記実施候補毎に表示する
ことを特徴とする請求項１乃至６のいずれか１項に記載の情報表示装置。
【請求項８】
前記表示手段は、前記作業段階情報により示される作業経過を前記実施候補毎に、それぞれの実施候補を示す画像と共に表示することを特徴とする請求項７記載の情報表示装置。
【請求項９】
複数ページ分の一連のページデータから単一のファイルである書籍ファイルの生成に向けた、個別に実施可能な複数段階からなる作成作業が行われる間に、現在の作業段階を示す作業段階情報を記憶する記憶ステップと、
前記記憶ステップで記憶された作業段階情報により示される作業段階を表示する表示ステップと、
を含むことを特徴とする情報表示方法。
【請求項１０】
コンピュータに、
複数ページ分の一連のページデータから単一のファイルである書籍ファイルの生成に向けた、個別に実施可能な複数段階からなる作成作業が行われる間に、現在の作業段階を示す作業段階情報を記憶装置に記憶する記憶手順、
前記記憶装置に記憶されている作業段階情報により示される作業段階を表示する表示手順、
を実行させるためのプログラム。
【発明の詳細な説明】
【技術分野】
【０００１】
本発明は、複数段階からなるファイル作成作業を支援する情報を表示する技術に関する。
【背景技術】
【０００２】
従来、書籍等（例えば本や雑誌）の重なっているページを自動ページめくり装置を用いて１枚ずつ分離してめくるとともに、各ページを撮影して電子データ化し、複数ページ分の電子データを書籍ファイルとして記録する書画カメラシステムが知られている（例えば特許文献１，２参照）。係る書画カメラシステムを用いれば、一般に販売されている所謂電子書籍と同様の書籍ファイルを誰もが簡単に作成することができる。
【０００３】
具体的には、書籍等の各ページを撮影する撮影作業、各ページの撮影画像すなわち一連のページ画像に対する各種の編集作業、編集後の一連のページ画像を統合して最終的な書籍ファイルを生成する作業を行えば書籍ファイルを得ることができる。
【先行技術文献】
【特許文献】
【０００４】
【特許文献１】特開２０１４−１１７８９３号公報
【特許文献２】特開２０１５−６７５４号公報
【発明の概要】
【発明が解決しようとする課題】
【０００５】
ところで上記の各作業はそれぞれが独立した作業であるため、例えば時間に余裕があるときに書籍の撮影作業を行っておき、その後、都合のよいときに（通勤時間や休憩時間等）、残りの作業を行うことができる。また、残りの作業についても時間を空けて都合のよいときに順に行うことができる。さらには、複数の書籍についてのファイル作成作業を同時並行的に行うこともできる。
【０００６】
しかしながら、撮影後の複数の作業を都合に応じて個別に行う場合、例えばある作業を行ってから次に作業を行うまでに時間が経過すると、次にどの作業を行えば分からなくなることが予想される。特に、複数の書籍についてファイル作成作業を同時並行的に行う場合には、その様な事態が生じやすいという問題があった。
【０００７】
本発明は、上記の課題に鑑みてなされたものであり、複数段階からなるファイル作成作業を行う作業者の利便性を向上させることを目的とする。
【課題を解決するための手段】
【０００８】
上記の目的を達成するため、本発明に係る情報表示装置は、複数ページ分の一連のページデータから単一のファイルである書籍ファイルの生成に向けた、個別に実施可能な複数段階からなる作成作業が行われる間に、現在の作業段階を示す作業段階情報を記憶する記憶手段と、前記記憶手段に記憶されている作業段階情報により示される作業段階を表示する表示手段とを備えたことを特徴とする。
【発明の効果】
【０００９】
本発明によれば、複数段階からなるファイル作成作業を行う作業者の利便性を向上させることができる。
【図面の簡単な説明】
【００１０】
【図１】本発明の一実施の形態に係る書画カメラシステムの概略構成を示す斜視図である。
【図２】書画カメラシステムの電気的構成の要部を示すブロック図である。
【図３】（ａ）は書籍ファイルの作業情報の概念図、（ｂ）は書籍ファイルの作成作業の詳細を示す図である。
【図４】タブレットの動作を説明するためのフローチャートである。
【図５】トップメニュー画面の一例を示す図である。
【図６】作業マークの詳細を示す説明図である。
【図７】作業マークの状態遷移図である。
【発明を実施するための形態】
【００１１】
以下、本発明の実施形態を、図面を参照して説明する。
【００１２】
図１は、本発明の一実施の形態に係る書画カメラシステム１の概略構成を示す斜視図である。この書画カメラシステム１は、タブレット２と自動ページめくり装置３とから構成される。
【００１３】
自動ページめくり装置３は、開かれた書籍等Ｂを保持する保持台６と、保持台６上の書籍等ＢのページＰのめくり元位置でページＰを保持し、ページＰのめくり先位置でページＰに対する保持を解除するめくり機構３０と、めくり元位置にあるページＰの上方に風を通過させることでめくり先位置にあるページＰに対して風を当てる送風部５とを備えている。
【００１４】
タブレット２は、カメラ（後述する撮像部）を備えた携帯可能な情報処理端末であって、スタンド２０を用いて書籍等（例えば本や雑誌）Ｂの上方に設置されることにより、書籍等ＢのページＰのめくり元を撮影する。なお、タブレット２と自動ページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１５】
そして、書画カメラシステム１においては、書籍等（例えば本や雑誌）ＢのページＰを自動ページめくり装置３を用いて１枚ずつ分離してめくるとともに、タブレット２によって各ページを撮影して電子データ化し、複数ページ分の電子データを決められたフォーマットのファイル（以下、書籍ファイルという）として記録することができる。
【００１６】
図２は、タブレット２と自動ページめくり装置３との電気的構成の要部を示すブロック図である。まず、自動ページめくり装置３の電気的構成について説明する。
【００１７】
自動ページめくり装置３は、主として制御部３１と、記憶部３２と、操作部３３と、モータ駆動回路部３４と、通信部３５と、電源部３６とから構成される。記憶部３２には、各種プログラムが記録されたＲＯＭ（Read Only Memory）と、当該プログラムが展開されるＲＡＭ（Random Access memory）とが含まれる。
【００１８】
操作部３３には、ページめくり処理を開始させる開始スイッチと、ページめくり処理を停止させる停止スイッチ等が含まれる。モータ駆動回路部３４には、めくり機構３０を駆動するモータや、送風部５に設けられたファンを駆動するモータ、及びそれらのモータを駆動するモータドライバ等が含まれる。
【００１９】
制御部３１は、開始スイッチが操作されてから停止スイッチが操作されるまでモータ駆動回路部３４を制御することによりめくり機構３０を駆動し、書籍等ＢのページＰを１枚ずつ分離してめくる。通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３６は、各ブロック３１〜３５に電力を供給する。
【００２０】
次に、タブレット２の電気的構成について説明する。タブレット２は、主として撮像部２１と、操作部２２と、表示部２３と、通信部２４と、制御部２５と、記憶部２６とから構成される。
【００２１】
撮像部２１は、書籍等Ｂ等のページ画像を撮影可能なカメラであり、レンズを含む光学系の他に、ＣＣＤ（Charge  Coupled  Device）やＣＭＯＳ（Complementary  Metal  Oxide  Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。
【００２２】
表示部２３は、ＬＣＤ（Liquid  Crystal  Display）や有機ＥＬ（Electro  Luminescence）等の表示モニタを有し、表示モニタの画面上に撮像部２１により撮像されたページ画像や各種情報等を表示する。
【００２３】
操作部２２は、図示しない電源キー等の最小限の操作スイッチと、表示部２３が有する表示モニタの表面に一体的に設けられたタッチパネルを含み、ユーザーによるタブレット２の操作情報を制御部２５へ供給する。
【００２４】
通信部２４は、自動ページめくり装置３との通信インタフェースを司り、Ｂｌｕｅｔｏｏｔｈ（登録商標）やＷｉ−Ｆｉ（登録商標）等の通信方式によって自動ページめくり装置３との接続を行う。
【００２５】
制御部２５は、ＣＰＵ（Central Processing Unit）、及びその周辺回路等や、ＲＡＭ（Random Access memory）等を含み、タブレット２の各部を制御する。
【００２６】
記憶部２６には、例えば、半導体メモリが実装され、各種のアプリケーションプログラム、制御部２５がプログラム実行の過程で生成する各種データ等が保存されている。上記アプリケーションプログラムには、自動ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。なお、書籍管理プログラムには、後述する作業図形２０７ａ〜２０７ｆ（図６参照）を表すデータが付随する。
【００２７】
また、記憶部２６には、書籍ファイルを作成する間には、書籍等の各ページを撮影した撮影画像、及び書籍の表紙、見返し（裏表紙側）、裏表紙、見返し（表紙側）をそれぞれ撮影した撮影画像からなる一連のページ画像が記憶される。なお、以下の説明においては、電子データ化の対象となる書籍等を便宜上、単に書籍と呼ぶものとする。
【００２８】
さらに、記憶部２６には、書籍ファイルや、一連のページ画像を書籍毎に管理するための複数の管理テーブル２６０を記憶する領域が確保されている。特に管理テーブル２６０には、書籍ファイルとして統合される以前の一連のページ画像について、各ページ画像と書籍の各ページとの対応関係を示す情報や、書籍のタイトルやページ数や書籍毎のページ画像のデータ量等の基本情報と、図３（ａ）に示す作業情報とが記憶される。作業情報の詳細については後述する。
【００２９】
そして、書画カメラシステム１を用いて書籍を電子データ化し書籍ファイルとして保存する際には、タブレット２を図１に示したように自動ページめくり装置３の上方に設置した状態で、タブレット２により自動ページめくり装置３のページめくり動作を無線で制御しながら、書籍の各ページを繰り返し撮影してページ画像を取得する。また、書籍の表紙等を撮影し、その撮影画像を取得する。
【００３０】
その後、タブレット２において、取得した一連のページ画像（表紙等の撮影画像を含む）に対して各種の編集作業を行い、一連のページ画像を単一のファイルに統合することにより書籍ファイルを作成する。具体的に説明すると以下の通りである。
【００３１】
図３（ｂ）は、任意の書籍のファイル作成作業の詳細を示した図であり、ファイル作成作業は、大別すると撮影、編集、ジェネレイト、転送の４つの作業工程に区分することができる。
【００３２】
撮影工程には、表紙の撮影から裏表紙側の見返しの撮影までの６段階の作業が含まれる。編集工程には、ページ編集、トリミング、色補正の３段階の作業が含まれる。ページ編集は、任意のページ画像の差し替えや、個別に撮影したページの挿入を行う作業である。トリミングは、一連のページ画像の各々から所望の領域を切り出すトリミングを個別に又は一括して行う作業である。色補正は、一連のページ画像の各々に対する明るさやコントラスト調整を含む色補正を個別に又は一括して行う作業である。ジェネレイト工程には、書籍ファイルのデータサイズや品質（画質）等を決める設定作業と、一連のページ画像を単一のファイルに統合するファイル生成作業の２段階の作業が含まれる。つまりファイル作成作業には１２段階の作業が含まれる。
【００３３】
１２段階の各作業は、独立して実施可能であり、また、撮影工程における任意の段階の撮影作業、及び編集工程における１又は全ての段階は、必要がなければ適宜省略することができる。
【００３４】
一方、管理テーブル２６０に記憶される作業情報１０１は、書籍毎に、ファイル作成作業の進捗状況と、複数の作業が含まれる撮影、編集、ジェネレイトの各工程における工程別の作業数をそれぞれ示すデータにより構成される。
【００３５】
進捗状況を示すデータは、ファイル作成作業の作業経過を示す作業経過情報であって、現在までに行われた作業が１２段階中のどの作業段階かを示す「０」〜「１２」のいずれかの値である。工程別の作業数のデータは、各工程内において実際に行われた作業数を示すものであり、撮影工程が「０」〜「６」のいずれかの値、編集工程が「０」〜「３」のいずれかの値、ジェネレイト工程が「０」〜「３」のいずれかの値である。
【００３６】
なお、タブレット２においては、保存可能な一連のページ画像が書籍４冊分に制限されており、作業情報１０１も最大４冊分の書籍に関する情報により構成される。また、進捗状況、及び工程別の作業数の各データの初期値は「０」であるとともに、各データはファイル作成作業が行われる間に随時更新される。
【００３７】
次に、図４乃至図７を参照し、タブレット２が書籍管理プログラムに従い動作するとき制御部２５が実行する処理内容を説明する。ここでは記憶部２６に、３冊分の書籍に関する一連のページ画像が記憶されている場合について説明する。
【００３８】
書籍管理プログラムが起動されると、制御部２５は、各書籍について前述した基本情報、及び作業情報１０１を読み出し（ステップＳ１）、作業情報１０１に従い書籍毎の作業マークを決定する（ステップＳ２）。なお、作業マークの詳細等については後述する。しかる後、制御部２５は、基本情報と作業情報１０１とに基づいて図５に示したトップメニュー画面Ｇ１を表示部２３の表示画面に表示する（ステップＳ３）。
【００３９】
トップメニュー画面Ｇ１は、上縁側に本の作成ボタンｂ１、ギャラリーボタンｂ２、編集ボタンｂ３が配置され、その下方側に書籍ファイルを作成中の書籍に関する情報（以下、書籍情報という。）が配置された操作画面である。
【００４０】
作成ボタンｂ１とギャラリーボタンｂ２は、動作モードの選択に使用されるとともに、反転表示により現在の動作モードを示すものである。書籍管理プログラムが起動直後の動作モードは、ファイル作成作業を行うための本作成モードである。なお、ユーザーは、ギャラリーボタンｂ２をタッチ操作をすることにより、書籍ファイルとして保存されている書籍を閲覧するためのギャラリーモードに移行することができる。
【００４１】
一方、書籍情報は、一連のページ画像が保存可能な書籍数に応じて確保された第１の情報表示領域２０１ａ〜第４の情報表示領域２０１ｄに書籍毎に表示されている。書籍情報は、各領域の左端に表示される代表画面２０２と、中央部に表示される書籍タイトル２０３、作業説明文２０４、データ詳細２０５と、右端に表示される作業マーク２０６とから構成される。
【００４２】
代表画面２０２は、基本情報に基づいて記憶部２６から読み出された表紙の撮影画像のサムネイル（縮小画像）である。書籍タイトル２０３とデータ詳細２０５は基本情報に含まれる情報であり、書籍タイトル２０３は書籍の撮影作業の開始に先立ちユーザーに入力された情報である。作業説明文２０４は、作業情報１０１として記憶されている作業段階の作業、つまり現在までに行われた作業を示す説明文である。
【００４３】
作業マーク２０６はステップＳ２の処理で決定されたものであり、作業説明文２０４に示されている作業に対応した種類の作業図形２０７ａ〜２０７ｆと、それらを囲むドーナツ形の経過図形２０８とから構成され、ファイル作成作業がどの作業工程のどの作業段階まで進んでいるのかを表わすものである。
【００４４】
なお、図５に示したトップメニュー画面Ｇ１において、第１の情報表示領域２０１ａに表示されている作業マーク２０６は、ファイル作成作業が編集工程のページ編集作業まで進んでいることを示すものである。また、第２の情報表示領域２０１ｂに表示されている作業マーク２０６は、ファイル作成作業が編集工程のトリミング作業まで進んでいることを示すものである。また、第３の情報表示領域２０１ｃに表示されている作業マーク２０６は、ファイル作成作業がジェネレイト工程のファイル生成作業まで進んでいることを示すものである。
【００４５】
また、トップメニュー画面Ｇ１の表示に際して制御部２５は、第４の情報表示領域２０１ｄには表示すべき書籍情報が存在しないため、書籍タイトル２０３の表示を省略し、代表画面２０２として、対応する書籍がない旨を示す画像を表示する。また、作業説明文２０４として、書籍ファイルの作成時に最初に行うべき作業（撮影）を示す説明文を表示し、作業マーク２０６として、撮影作業を示すものを表示する。
【００４６】
ここで、作業マーク２０６を構成する作業図形と経過図形との詳細を図６を参照して説明する。作業図形は、図３（ｂ）に示した１２段階の各作業における基本的な作業内容（撮影、ページ編集、トリミング、色補正、ジェネレイト、転送）にそれぞれ対応する６種類の作業図形２０７ａ〜２０７ｆが予め用意されている。各々の作業図形２０７ａ〜２０７ｆは、ファイル作成作業を大別した作業工程（撮影、編集、ジェネレイト、転送）に対して予め決められている工程色（黄、青、緑、赤）からなる単色の図形である。したがって、編集工程におけるページ編集、トリミング、色補正を表す作業図形２０７ｂ，２０７ｃ，２０７ｄについては全てが同一色（青）である。
【００４７】
一方、経過図形２０８は、複数領域を作業工程に応じた工程色で円周方向に順に塗り潰して行く間の状態により、ファイル作成作業の作業経過を視覚的に表すものである。具体的に説明すると、経過図形２０８は、その内部領域を現在の作業段階に応じた範囲だけ順に塗り潰したものである。ここで、現在の作業段階に応じた範囲とは、作業工程毎に予め決められている最大の塗り潰し範囲を、その作業工程内の作業段階の数で等分した範囲を単位とする実際に行われた作業数に応じた範囲である。つまり図６に示したように、撮影工程に対応する範囲は６段階で塗り潰され、編集工程に対応する範囲は３段階で塗り潰され、ジェネレイト工程に対応する範囲は２段階で塗り潰される。また、各作業工程に対応する範囲の塗り潰し色は前述した工程色である。
【００４８】
図７は、図３（ｂ）に示した「１」〜「１２」の各作業段階に対応する作業マーク２０６の状態、つまり作業図形と、経過図形の塗り潰し状態との組み合わせを示した図である。なお、既説したようにファイル作成作業では、撮影工程における任意の段階の撮影作業、及び編集工程における１又は全ての段階の作業が省略可能である。そのため編集、ジェネレイト、転送の各工程に対応する塗り潰し範囲については、円周方向の塗り潰し開始位置が可変である。また、最終工程である転送工程の塗り潰し範囲は、それ以前の段階で塗り潰されていない全ての範囲であり、塗り潰し範囲と円周方向の塗り潰し開始位置との双方が適宜変化する。
【００４９】
そして、制御部２５によるステップＳ２の処理は、作業情報１０１に示されている進捗状況に基づいて作業図形の種類を特定し、かつ進捗状況と作業数とに基づいて経過図形２０８の塗り潰し内容を特定する処理である。
【００５０】
一方、トップメニュー画面Ｇ１を表示している間、ユーザーは第１の情報表示領域２０１ａ〜第４の情報表示領域２０１ｄのいずれかに対してタッチ操作を行うことにより、所望する書籍についてファイル作成作業の再開や、新たな書籍についてのファイル作成作業の開始を指示することができる。但し、既に転送作業が完了している書籍に対するタッチ操作については無効である。
【００５１】
制御部２５は、ユーザーから作業指示があると（ステップＳ４：ＹＥＳ）、トップメニュー画面Ｇ１に代えて、次の段階の作業をユーザーに行わせるための作業画面を表示部２３の表示画面に表示し（ステップＳ５）、作業情報１０１における進捗状況の値を更新する（ステップＳ６）。例えば図５に示した第１の情報表示領域２０１ａの書籍についてファイル作成作業の再開が指示された場合には、ユーザーにトリミング作業を行わせるための作業画面を表示し、作業情報１０１における進捗状況の値を「７」から「８」に更新する。
【００５２】
引き続き、制御部２５は、作業画面からのユーザーの指示に従い作業別の処理、つまり次の段階の作業に関する各種の処理を実施する（ステップＳ７）。そして、ここで実施した作業が含まれる作業工程に関する作業情報１０１の作業数をインクリメントする（ステップＳ８）。
【００５３】
しかる後、制御部２５は、ステップＳ２の処理へ戻って、進捗状況と作業数とが更新された新たな作業情報１０１に従い書籍毎の作業マークを決定し、新たなトップメニュー画面Ｇ１を表示する（ステップＳ３）。
【００５４】
これにより、例えば図５に示した第１の情報表示領域２０１ａの書籍についてファイル作成作業の再開が指示された場合には、第１の情報表示領域２０１ａの作業説明文２０４と作業マーク２０６とが、第２の情報表示領域２０１ｂと同一となったトップメニュー画面Ｇ１が表示されることとなる。
【００５５】
また、例えば図５に示した第３の情報表示領域２０１ｃの書籍についてファイル作成作業の再開が指示されていた場合には、第３の情報表示領域２０１ｃにおける作業説明文２０４が、実施済みの作業内容が転送作業である旨を示す内容に切り替わり、かつ作業マーク２０６が転送作業に対応する作業マーク２０６（図７で［１２］）に切り替わることとなる。
【００５６】
以後、ステップＳ３の処理で新たなトップメニュー画面Ｇ１を表示した後は、制御部２５は前述した処理を繰り返し実行する。これにより、例えば図５に示した第４の情報表示領域２０１ｄの書籍、つまり新たな書籍についてユーザーの作業指示が繰り返し行われ、ユーザーによって全ての作業が行われた場合には、トップメニュー画面Ｇ１が更新される毎に、第４の情報表示領域２０１ｄに表示される作業マーク２０６が図７に矢印で示した順に切り替わることとなる。
【００５７】
また、トップメニュー画面Ｇ１を表示している間、ユーザーは編集ボタンｂ３をタッチ操作することにより、ファイル作成作業が途中の書籍データ、及び既に転送作業が完了している書籍の書籍データ、つまり一連のページ画像を消去することが可能である。
【００５８】
制御部２５は、ユーザーから消去指示があった場合には（ステップＳ９：ＹＥＳ）、書籍指定モードに移行して、第１の情報表示領域２０１ａ〜第４の情報表示領域２０１ｄのいずれかに対するタッチ操作によって、ユーザーに消去対象とする書籍を指定させる（ステップＳ１０）。
【００５９】
しかる後、制御部２５は、ユーザーに指定された書籍の書籍データを記憶部２６から消去するとともに（ステップＳ１１）、作業情報１０１を更新し（ステップＳ１２）、ステップＳ２の処理に戻る。以後、制御部２５は、ユーザーによって書籍管理プログラムが終了されるまで繰り返し実行し（ステップＳ１３：ＮＯ）、書籍管理プログラムが終了された時点で（ステップＳ１３：ＹＥＳ）、処理を終了する。
【００６０】
以上のように、ユーザーは書籍管理プログラムの起動に伴い表示されるトップメニュー画面Ｇ１において書籍ファイルを作成中の書籍を確認することができるとともに、所望の書籍を指定するだけで、書籍について途中であったファイル作成作業を直ちに再開することができる。そして、トップメニュー画面Ｇ１には、現在の作業段階、つまり現在までに行われた作業を、作業説明文２０４と作業マーク２０６を構成する作業図形２０７ａ〜２０７ｆとによって表示するようにした。
【００６１】
そのため、ユーザーにおいては、例えば時間に余裕があるときに書籍の撮影作業を行っておき、その後、都合のよいときに残りの作業を行うとき、仮に作業を行ってから次に作業を行うまでに時間が経過した場合であっても、次にどの作業を行えばよいかを直ちに知ることができる。また、書籍の撮影作業を時間を空け複数回に分けて行う場合についても同様であり、ユーザーは前回どの段階までの撮影作業を行ったかを直ちに知ることができる。よって、複数段階からなるファイル作成作業を行う作業者の利便性を向上させることができる。特に複数の書籍についてファイル作成作業を同時並行的に行う場合には、次にどの作業を行えばよいかを書籍毎に直ちに知ることができるため、極めて都合がよい。
【００６２】
また、作業図形２０７ａ〜２０７ｆと共に作業マーク２０６を構成する経過図形２０８を、ファイル作成作業の作業経過を視覚的に表すものとし、それにより作業マーク２０６を、ファイル作成作業がどの作業工程のどの作業段階まで進んでいるのかを表わすものとした。よって、ユーザーは作業マーク２０６を見ることにより、次にどの作業を行えばよいかを書籍毎に直ちに了解することができる。
【００６３】
また、経過図形２０８を囲むドーナツ形とし、複数領域を円周方向に順に塗り潰す間の所定の状態により作業経過を視覚的に表すようにした。よって、前述したようにいずれかの作業工程で任意の作業を省略していた場合には、それを作業者に明示することができる。
【００６４】
さらに、経過図形２０８の複数領域を、作業図形２０７ａ〜２０７ｆに対応する色、すなわち作業図形２０７ａ〜２０７ｆで表される作業段階が含まれる作業工程に対応する工程色で塗り潰すようにした。よって、ファイル作成作業がどの作業工程のどの程度の段階まで進んでいるのかを、ユーザーにより明確に理解させることができる。
【００６５】
また、作業図形２０７ａ〜２０７ｆを、各々が含まれる作業工程に対応する工程色からなる単色の図形としたことから、作業マーク２０６によって、ファイル作成作業がどの作業工程のどの作業段階まで進んでいるのかを、ユーザーに対してより一層分かり易く知らせることができる。
【００６６】
なお、本実施形態とは異なり、例えばトップメニュー画面Ｇ１には、作業説明文２０４と作業マーク２０６とのいずれか一方のみを表示してもよいし、作業マーク２０６に代えて作業図形２０７ｂ，２０７ｃ，２０７ｅのみを表示してもよい。さらに、経過図形２０８は、必ずしもドーナツ形でなくともよく、ファイル作成作業の作業経過を視覚的に表すことができれば、任意の形状を採用することができる。また、その場合、作業経過を視覚的に表す手法は任意であり、さらに作業図形２０７ｂ，２０７ｃ，２０７ｅと経過図形２０８との位置関係についても任意である。
【００６７】
また、以上の説明においては、ファイル作成作業において、ユーザーに図３（ｂ）に示した１２段階の各作業を、任意の作業の省略を許容しつつ順に行わせる構成について説明したが、ユーザーが必要に応じて任意の作業を任意の時点で行える構成であっても構わない。すなわち省略していた作業や既に行った作業を、それ以降の作業を行った後に作業順を遡って行うことができる構成であってもよい。
【００６８】
その場合、作業順を遡って作業が行われた後にトップメニュー画面Ｇ１に表示する作業説明文２０４や作業マーク２０６は、例えばその作業が行われる以前と同一にしたり、その作業が想定されている作業順で行われた場合と同様のものに変更したりすればよい。
【００６９】
また、本実施形態ではタブレット２において書籍管理プログラムを実行した場合について説明したが、これに限らず、一般的なパーソナルコンピュータ等の他の情報機器においても前述した書籍管理プログラムと同様の処理を可能とするプログラムを供給することにより実現することができる。さらに、その供給方法は任意であり、例えばインターネット上のＷｅｂページからプログラムをパーソナルコンピュータ等に供給してもよい。
【００７０】
また、プログラムをインターネット上のサーバーに格納しておき、サーバーにおいて図４に示した処理を実行させるようにしてもよい。その場合、トップメニュー画面Ｇ１の表示、及びそれらの画面に対するユーザーの操作を、サーバーと協働してパーソナルコンピュータ等において行うこととなる。但し、新たに生成する書籍ファイル等の保存はサーバー、又はパーソナルコンピュータ等のいずれであっても構わない。
【００７１】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
［請求項１］
複数ページ分の一連のページデータから単一のファイルである書籍ファイルの生成に向けた、個別に実施可能な複数段階からなる作成作業が行われる間に、現在の作業段階を示す作業段階情報を記憶する記憶手段と、
前記記憶手段に記憶されている作業段階情報により示される作業段階を表示する表示手段と
を備えたことを特徴とする情報表示装置。
［請求項２］
前記表示手段は、前記作業段階を示す作業図形によって表示することを特徴とする請求項１記載の情報表示装置。
［請求項３］
前記記憶手段は、前記作成作業の作業経過を示す作業経過情報を記憶し、
前記表示手段は、前記作業図形と共に、前記記憶手段に記憶されている作業経過情報により示される作業経過を視覚的に表す経過図形を表示することを特徴とする請求項２記載の情報表示装置。
［請求項４］
前記経過図形は、前記作業図形を囲むドーナツ形であり、複数領域を円周方向に順に塗り潰す間の所定の状態により前記作成作業の作業経過を視覚的に表すことを特徴とする請求項３記載の情報表示装置。
［請求項５］
前記経過図形は、前記複数領域を前記作業段階に対応する特定色により、円周方向に順に塗り潰して行く間の状態により前記作成作業の作業経過を視覚的に表すことを特徴とする請求項４記載の情報表示装置。
［請求項６］
前記作業図形は、前記特定色のみからなる単色の図形であることを特徴とする請求項５記載の情報表示装置。
［請求項７］
前記記憶手段は、前記作成作業の実施候補である複数の前記一連のページデータに関する前記作業段階情報を個別に記憶し、
前記表示手段は、前記記憶手段に個別に記憶されている作業段階情報により示される作業段階を前記実施候補毎に表示する
ことを特徴とする請求項１乃至６のいずれか１項に記載の情報表示装置。
［請求項８］
前記表示手段は、前記作業段階情報により示される作業経過を前記実施候補毎に、それぞれの実施候補を示す画像と共に表示することを特徴とする請求項７記載の情報表示装置。
［請求項９］
複数ページ分の一連のページデータから単一のファイルである書籍ファイルの生成に向けた、個別に実施可能な複数段階からなる作成作業が行われる間に、現在の作業段階を示す作業段階情報を記憶する記憶ステップと、
前記記憶ステップで記憶された作業段階情報により示される作業段階を表示する表示ステップと、
を含むことを特徴とする情報表示方法。
［請求項１０］
コンピュータに、
複数ページ分の一連のページデータから単一のファイルである書籍ファイルの生成に向けた、個別に実施可能な複数段階からなる作成作業が行われる間に、現在の作業段階を示す作業段階情報を記憶装置に記憶する記憶手順、
前記記憶装置に記憶されている作業段階情報により示される作業段階を表示する表示手順、
を実行させるためのプログラム。
【符号の説明】
【００７２】
１    書画カメラシステム
２    タブレット
３    自動ページめくり装置
２２    操作部
２３    表示部
２５    制御部
２６    記憶部
２６０    管理テーブル
１０１    作業情報
２０２    代表画面
２０４    作業説明文
２０６    作業マーク
２０７ａ〜２０７ｆ    作業図形
２０８    経過図形
ｂ１    作成ボタン
ｂ２    ギャラリーボタン
ｂ３    編集ボタン
Ｇ１    トップメニュー画面
【図１】
2017045292.tif 000003
【図２】
2017045292.tif 000004
【図３】
2017045292.tif 000005
【図４】
2017045292.tif 000006
【図５】
2017045292.tif 000007
【図６】
2017045292.tif 000008
【図７】
2017045292.tif 000009